(57)【要約】【課題】サポート部材の構成自体が単純であり、サポート部材を脱着させることで異径の飲料容器を収容可能なカップホルダを提供する。【解決手段】ケース体１５の短手方向内部両側の側面に、対向する側面側に突出する第２の段差部２６と、第２の段差部２６の上面２６Ａに形成された支持部２９と、第２の段差部２６間に形成される溝部２７とが設けられ、サポート部材１７が支持部２９に嵌入可能とされるとともに、サポート部材１７を９０度水平面内で回転させて溝部２７に嵌入可能とされる。【選択図】図４
2011020632.tif 000002
【特許請求の範囲】
【請求項１】
内部に容器収容空間が形成され、内部の短手方向両側面に少なくとも１つずつ設けられるとともに、対向する側面側に突出する突出部を有するケース体と、
平面視で見た場合において嵌入方向の中心を通る短手方向が前記ケース体の長手方向と一致する第１の状態と、前記第１の状態から水平面内で回転させて、前記中心を通る長手方向が前記ケース体の長手方向と一致する第２の状態と、からそれぞれ前記突出部へ嵌入可能とされるとともに、前記第１の状態から前記突出部に嵌入させた場合に、第１の径を有する飲料容器を前記容器収容空間に収容可能とし、前記第２の状態から前記突出部に嵌入させた場合に、前記第１の径より小さい第２の径を有する飲料容器を前記容器収容空間に収容可能とするサポート部材と、
を含んで構成されていることを特徴とするカップホルダ。
【請求項２】
請求項１に記載のカップホルダにおいて、前記サポート部材を前記第１の状態から前記突出部に嵌入させた場合に、前記サポート部材の稜線と、該サポート部材の両側に形成される容器収容空間を区画する前記ケース体の内部側面の稜線またはその延長線とが平面視で連続していることを特徴とするカップホルダ。
【請求項３】
請求項１または請求項２に記載のカップホルダにおいて、前記サポート部材を前記第２の状態から前記突出部に嵌入させた場合に、前記サポート部材の稜線と、該サポート部材の両側に形成される容器収容空間を区画する前記ケース体の内部側面の稜線またはその延長線とが平面視で不連続でかつ、前記サポート部材の稜線は、前記内部側面の稜線の延長線と干渉する方向へ突出されていることを特徴とするカップホルダ。
【請求項４】
請求項１乃至請求項３のいずれか１項に記載のカップホルダにおいて、前記突出部の間には、前記ケース体の長手方向両側に形成された容器収容空間を連通する溝部が形成されていることを特徴とするカップホルダ。
【請求項５】
請求項１乃至請求項４のいずれか１項に記載のカップホルダにおいて、前記突出部は、前記ケース体の底面と前記ケース体の内部の短手方向側面とを結び、前記第２の状態から前記サポート部材に嵌入される棚部と、前記棚部の一部に形成され、前記第１の状態から前記サポート部材に嵌入される支持部とを含んで構成されていることを特徴とするカップホルダ。
【請求項６】
請求項５に記載のカップホルダにおいて、前記棚部の少なくとも一方の短手方向側面には、前記サポート部材を前記第２の状態から前記突出部に嵌入させた場合に前記サポート部材に係合する第１の係合部が形成されていることを特徴とするカップホルダ。
【請求項７】
請求項１乃至請求項６のいずれか１項に記載のカップホルダにおいて、前記ケース体の内部の短手方向側面の少なくとも一方には、前記サポート部材に係合する第２の係合部が形成されていることを特徴とするカップホルダ。
【発明の詳細な説明】
【技術分野】
【０００１】
本発明は、車両用カップホルダに関する。
【背景技術】
【０００２】
車室内に設けられるカップホルダとして、サポート部材を脱着させるものが知られている。簡単に説明すると、カップホルダは飲料容器を収容するケース体とサポート部材とで構成されている。そして、ケース体にサポート部材を装着した場合には、サポート部材の両側に飲料容器を収容可能な空間が形成され、サポート部材をケース体から外した場合には、飲料容器より大きなものを収容可能な空間が形成される構成とされている。
【０００３】
ところで、飲料容器としては、缶容器やペットボトル、紙パック、紙コップ等がある。これらはいずれも径が異なるため、カップホルダに異径の飲料容器を収容かつ保持できることが望ましい。この観点から、例えば特許文献１に示すカップホルダが提案されている。特許文献１のカップホルダは、図１４（Ａ）、（Ｂ）に示されるように、飲料容器を収容するケース体２０１と、そのケース体２０１の支持部２０３に脱着可能に取り付けられるサポート部材２０５とを有する。そして、そのサポート部材２０５には容器保持部２０７が設けられ、展開付勢部材によって容器保持部２０７が退避位置Ｐ１と展開位置Ｐ２との間を移動する構成とされている。したがって、ケース体２０１にサポート部材２０５を装着させた場合、容器保持部２０７を退避位置Ｐ１まで移動させれば大きめの飲料容器２個を収容可能な空間が形成される。また、容器保持部２０７を展開位置Ｐ２まで移動させれば退避位置Ｐ１の状態に比べて径の小さな飲料容器２個を収容可能な空間が形成される。
【先行技術文献】
【特許文献】
【０００４】
【特許文献１】特開２００７−３２０４９２号公報
【発明の概要】
【発明が解決しようとする課題】
【０００５】
しかしながら、特許文献１のカップホルダではサポート部材に付勢手段が設けられているので、サポート部材の構成自体が複雑になる。
【０００６】
本発明は上記の点に鑑み、サポート部材の構成自体が簡素であり、サポート部材を脱着させることで異径の飲料容器を収容可能なカップホルダを提供することを目的とする。
【課題を解決するための手段】
【０００７】
請求項１記載の発明に係るカップホルダは、内部に容器収容空間が形成され、内部の短手方向両側面に少なくとも１つずつ設けられるとともに、対向する側面側に突出する突出部を有するケース体と、平面視で見た場合において嵌入方向の中心を通る短手方向が前記ケース体の長手方向と一致する第１の状態と、前記第１の状態から水平面内で回転させて、前記中心を通る長手方向が前記ケース体の長手方向と一致する第２の状態と、からそれぞれ前記突出部へ嵌入可能とされるとともに、前記第１の状態から前記突出部に嵌入させた場合に、第１の径を有する飲料容器を前記容器収容空間に収容可能とし、前記第２の状態から前記突出部に嵌入させた場合に、前記第１の径より小さい第２の径を有する飲料容器を前記容器収容空間に収容可能とするサポート部材と、を含んで構成されていることを特徴とする。
【０００８】
上記構成によれば、ケース体内部の短手方向両側面に少なくとも１つずつ突出部が形成され、この突出部にサポート部材を嵌入できるとともに、サポート部材を水平面内で回転させた場合にもこのサポート部材を突出部に嵌入できる。したがって、新設部品を必要とせず従来のようにサポート部材が一部材から構成される。また、サポート部材は、平面視で嵌入方向の中心を通る短手方向と長手方向とを備える形状とされているので、第１の状態と第２の状態とからそれぞれケース体に嵌入させた場合、サポート部材の両側に形成される容器収容空間の開口部の大きさが異なる。
【０００９】
請求項２記載の発明に係るカップホルダは、請求項１に記載のカップホルダにおいて、前記サポート部材を前記第１の状態から前記突出部に嵌入させた場合に、前記サポート部材の稜線と、該サポート部材の両側に形成される容器収容空間を区画する前記ケース体の内部側面の稜線またはその延長線とが平面視で連続していることを特徴とする。
【００１０】
上記構成によれば、第１の状態からサポート部材をケース体の突出部へ嵌入させた場合に、ケース体とサポート部材との間に形成された容器収容空間の開口部の稜線またはその延長線が連続する。
【００１１】
請求項３記載の発明に係るカップホルダは、請求項１または請求項２に記載のカップホルダにおいて、前記サポート部材を前記第２の状態から前記突出部に嵌入させた場合に、前記サポート部材の稜線と、該サポート部材の両側に形成される容器収容空間を区画する前記ケース体の内部側面の稜線またはその延長線とが平面視で不連続でかつ、前記サポート部材の稜線は、前記内部側面の稜線の延長線と干渉する方向へ突出されていることを特徴とする。
【００１２】
上記構成によれば、第２の状態からサポート部材をケース体の突出部に嵌入させた場合に、平面視で、サポート部材の稜線は、ケース体内部に設けられた容器収容空間を区画する内部側面の延長線よりも長手方向外側に位置する。したがって、ケース体とサポート部材との間に形成された容器収容空間の開口部は、ケース体とサポート部材との間に形成された容器収容空間の開口部の稜線またはその延長線が連続している場合に比べて小さくなる。
【００１３】
請求項４記載の発明に係るカップホルダは、請求項１乃至請求項３のいずれか１項に記載のカップホルダにおいて、前記突出部の間には、前記ケース体の長手方向両側に形成された容器収容空間を連通する溝部が形成されていることを特徴とする。
【００１４】
上記構成によれば、サポート部材をケース体から取り外した場合に、ケース体の短手方向中央部を通って長手方向に溝部を含む収容空間が形成される。
【００１５】
請求項５記載の発明に係るカップホルダは、請求項１乃至請求項４のいずれか１項に記載のカップホルダにおいて、前記突出部は、前記ケース体の底面と前記ケース体の内部の短手方向側面とを結び、前記第２の状態から前記サポート部材に嵌入される棚部と、前記棚部の一部に形成され、前記第１の状態から前記サポート部材に嵌入される支持部とを含んで構成されていることを特徴とする。
【００１６】
上記構成によれば、第１の状態からケース体の支持部とサポート部材とが嵌合される。また、第２の状態からケース体の棚部とサポート部材とが嵌合される。
【００１７】
請求項６記載の発明に係るカップホルダは、請求項５に記載のカップホルダにおいて、前記棚部の少なくとも一方の短手方向側面には、前記サポート部材を前記第２の状態から前記突出部に嵌入させた場合に前記サポート部材に係合する第１の係合部が形成されていることを特徴とする。
【００１８】
上記構成によれば、第１の係合部とサポート部材とが係合される。したがって、サポート部材の支持点が増える。
【００１９】
請求項７記載の発明に係るカップホルダは、請求項１乃至請求項６のいずれか１項に記載のカップホルダにおいて、前記ケース体の内部の短手方向側面の少なくとも一方には、前記サポート部材に係合する第２の係合部が形成されていることを特徴とする。
【００２０】
上記構成によれば、第２の係合部とサポート部材の一部とが係合される。したがって、サポート部材の支持点が更に増える。
【発明の効果】
【００２１】
以上説明したように、請求項１記載の本発明に係るカップホルダは、サポート部材の構成自体が簡素であり、サポート部材を脱着させることで異径の飲料容器を収容できるという優れた効果を有する。
【００２２】
また、請求項２記載の本発明に係るカップホルダは、外観品質を良好に保つことができるという優れた効果を有する。さらに、サポート部材の稜線が飲料容器の外周に沿う略円弧の形状であれば、飲料容器を安定して収容することができるという優れた効果を有する。
【００２３】
また、請求項３記載の本発明に係るカップホルダは、ケース体とサポート部材との間に形成された容器収容空間の開口部の稜線またはその延長線が連続している場合に比べて、小さな飲料容器を収容することができるという優れた効果を有する。さらに、サポート部材の稜線が飲料容器の外周に沿う略円弧の形状であれば、飲料容器を安定して収容することができるという優れた効果を有する。
【００２４】
また、請求項４記載の本発明に係るカップホルダは、取手等の凸部を有する飲料容器（例えばマグカップ）を収容することができるという優れた効果を有する。
【００２５】
また、請求項５記載の本発明に係るカップホルダは、従来のケース体を使用できるので、サポート部材のみを変更すればよく、コストを抑えることができる。
【００２６】
また、請求項６記載の本発明に係るカップホルダは、サポート部材を係合させることができ、サポート部材のガタツキが抑えられるという優れた効果を有する。
【００２７】
さらに、請求項７記載の本発明に係るカップホルダは、サポート部材を係合させることができ、サポート部材のガタツキが抑えられるという優れた効果を有する。
【図面の簡単な説明】
【００２８】
【図１】第１の実施形態に係るカップホルダの概略斜視図である。
【図２】図１に示されるケース体の斜視図である。
【図３】図１に示されるサポート部材の斜視図である。
【図４】図２に示されるケース体に図３に示されるサポート部材を嵌入させる状態を示した分解斜視図である。
【図５】第１の径を有する飲料容器を収容可能とするカップホルダの斜視図である。
【図６】（Ａ）は図５のカップホルダの平面図であり、（Ｂ）はその正面図である。
【図７】第１の径より小さな径を有する飲料容器を収容可能とするカップホルダの斜視図である。
【図８】（Ａ）は図７のカップホルダの平面図であり、（Ｂ）は嵌入方向の中心を通る短手方向の断面図である。
【図９】第１の実施形態に係るカップホルダの変形例を示す概略斜視図である。
【図１０】第２の実施形態に係るカップホルダを構成するケース体の概略斜視図である。
【図１１】図１０に示されるケース体に嵌入されるサポート部材の斜視図である。
【図１２】図１０に示されるケース体に図１１に示されるサポート部材を嵌入させた場合の平面図である。（Ａ）は第１の径を有する飲料容器を収容可能な場合、（Ｂ）は第１の径より小さな径を有する飲料容器を収容可能な場合である。
【図１３】図１２（Ａ）において、第２の係合部が設けられたカップホルダの平面図である。
【図１４】異径飲料容器を収容可能な、従来のカップホルダの斜視図である。（Ａ）はケース体の斜視図、（Ｂ）はサポート部材の斜視図である。
【発明を実施するための形態】
【００２９】
＜第１の実施形態＞
以下に、本発明の第１の実施形態およびその変形例について図１乃至図９を参照して説明する。なお、これらの図において適宜示される矢印Ｆｒは車両前後方向前方側を示しており、矢印Ｕｐは車両上下方向上方側を示しており、矢印Ｌは車幅方向左側を示している。また、対称性に応じて、各図において符号を省略している。
【００３０】
図１に示されるように、本実施形態におけるカップホルダ１１は車両の運転席と助手席との間のコンソールボックス１２内に設けられている。カップホルダ１１は、プッシュオープン式のドア１３を押し開くことで使用可能とされ、図１にはドア１３が押し開かれた状態が示されている。このカップホルダ１１は、飲料容器等を収容するケース体１５と、このケース体１５に対して脱着可能とされるサポート部材１７とを含んで構成され、これらはいずれも樹脂製とされている。ケース体１５の長手方向（車両前後方向）長さは、第１の径φ１を有する飲料容器Ｖ１（図６（Ａ）参照）が間隔をあけて配置可能な長さとされている。また、ケース体１５の短手方向（車幅方向）長さは、第１の径φ１を有する飲料容器Ｖ１の直径程度の長さとされている。ここで、第１の径φ１とは直径でおよそ８．５センチメートルであり、第１の径φ１を有する飲料容器Ｖ１は、市販されている紙コップＬサイズの飲料容器とされている。また、ケース体１５の車両上下方向深さ（長さ）は、第２の径φ２を有する飲料容器Ｖ２（図８（Ａ）参照）の高さより小さい長さとされている。ここで、第２の径φ２とは直径でおよそ６．５センチメートルであり、第２の径φ２を有する飲料容器Ｖ２は、市販されているペットボトルとされている。そして、第２の径φ２は第１の径φ１に比べて小さく設定されている。
【００３１】
なお、図６（Ａ）および図８（Ａ）に示されるように、ケース体１５の平面形状は、その長手方向中心位置を通って短手方向に延びる軸Ｘ１に対して線対称形状とされている。また、ケース体１５の平面形状は、その短手方向中心位置を通って長手方向に延びる軸Ｙ１に対して線対称形状とされている。そして、サポート部材１７の平面形状は、その長手方向中心を通って短手方向に延びる軸Ｘ２を中心に線対称形状とされている。また、サポート部材１７の平面形状は、短手方向中心を通って長手方向に延びる軸Ｙ２に対して線対称形状とされている。
【００３２】
図２に示されるように、ケース体１５は上面側が開放された略箱状をなしており、その内部の長手方向両側に設けられて飲料容器を収容する一対の主収容部１９と、一対の主収容部１９を車両前後方向に連通する連通収容部２１とで構成されている。なお図２は、図１のケース体１５において主収容部１９の一部と連通収容部２１の一部とを拡大した図であり、ケース体１５の長手方向両側はカットされている。また、ケース体１５が車幅方向に対称であることから片方側のみが示されている。
【００３３】
主収容部１９を区画する内部側面１９Ａは平面視で略円弧をなし、車両上下方向に延びて形成されている。内部側面１９Ａの車両上端部には稜線１９Ｂが形成されている。さらに、主収容部１９の底面の内径は、主収容部１９の上端側開口部の内径より小さく設定され、主収容部１９の垂直断面形状は略台形形状とされている。すなわち、主収容部１９は円錐台形状の空間とされている。なお、主収容部１９の底面の内径は、第１の径φ１と略同一とされている。
【００３４】
連通収容部２１は、ケース体１５の長手方向中央部の短手方向両側面に設けられると共に対向する側面に向かって突出している段差部２４と、双方の段差部２４の間に形成された溝部２７とによって区画されている。
【００３５】
段差部２４は、ケース体１５の車両上下方向上方側に設けられる第１の段差部２５と、ケース体１５の車両上下方向下方側に設けられて第１の段差部２５よりもケース体１５内部に突出する棚部としての第２の段差部２６とで構成されている。
【００３６】
第１の段差部２５は、プッシュオープン式のドア１３が閉じられた状態でドア１３の下面に対向する上面２５Ａと、垂直断面で見た場合に上面２５Ａから車両上下方向下方へ延びる短手方向側面２５Ｂとで構成されている。なお、第１の段差部２５の短手方向はケース体１５の短手方向と同様の方向である。
【００３７】
第２の段差部２６は、第１の段差部２５の短手方向側面２５Ｂから屈曲して形成される上面２６Ａと、垂直断面で見た場合に上面２６Ａから車両上下方向下方へ延びる短手方向側面２６Ｂと、ケース体１５の内部に設けられた主収容部１９を区画する内部側面１９Ａの一部とされている長手方向側面２６Ｃとで構成されている。なお、第２の段差部２６の長手方向はケース体１５の長手方向と同様の方向である。
【００３８】
第１の段差部２５の深さ（高さ）は、ケース体１５の高さの９５パーセント程度とされ、第２の段差部２６の深さ（高さ）は、ケース体１５の高さの２５パーセント程度とされている。また、第１の段差部２５を垂直断面で見た場合、短手方向側面２５Ｂは車両上方から車両下方に向かってケース体１５の短手方向外側から内側に傾斜している（図６（Ｂ）参照）。また、第２の段差部２６を垂直断面で見た場合、短手方向側面２６Ｂは車両上方から車両下方に向かってケース体１５の短手方向外側から内側に傾斜している（図６（Ｂ）参照）。
【００３９】
図２に示されるように、第２の段差部２６の上面２６Ａには板状の支持部２９が一体形成されている。この支持部２９は、車両前方から見て略Ｌ字状とされ、車両上下方向延伸部２９Ａと、車両水平方向延伸部２９Ｂとで構成されている。車両上下方向延伸部２９Ａは、第１の段差部２５の短手方向側面２５Ｂに設けられている。また、車両水平方向延伸部２９Ｂは、第１の段差部２５の短手方向側面２５Ｂと、第２の段差部２６の上面２６Ａとに設けられている。そして、車両水平方向延伸部２９Ｂの長手方向（ケース体１５の短手方向）が広幅とされている。また、支持部２９はケース体１５の長手方向中心位置を通って短手方向に伸びる軸Ｘ１（図６（Ａ）参照）に対して線対称に配置されている。すなわち、支持部２９は対向する第２の段差部２６の上面２６Ａにも同様に配設され、この支持部２９はそれぞれの第２の段差部２６に１箇所ずつの計２箇所に設けられている。そして、後述する、第１の状態からサポート部材１７をケース体１５に嵌合させた場合に示された状態において、支持部２９は、サポート部材１７（図３参照）の長手方向両側の側面４３Ａの下端に設けられた切り欠き５３と嵌合される（図５参照）。
【００４０】
また、図２に示されるように、第２の段差部２６の短手方向側面２６Ｂには、対向する側面に向かって突出する第１の係合部としてのリブ３１が一体形成されている。このリブ３１は、車両前方から見て斜辺が第２の段差部２６の短手方向側面２６Ｂに設けられた直角三角形状とされている。また、リブ３１はケース体１５の長手方向中心位置を通って短手方向に伸びる軸Ｘ１（図６（Ａ）参照）に対して対称に配置されている。リブ３１は対向する第２の段差部２６の短手方向側面２６Ｂにも同様に配設され、このリブ３１はそれぞれの第２の段差部２６に２箇所ずつの計４箇所に設けられている。さらに、後述する、第２の状態からサポート部材１７をケース体１５に嵌合させた場合に示された状態において、リブ３１は、サポート部材１７（図３参照）の短手方向両側の側面４３Ｂに設けられた切り欠き６３の外周の一部を形成している第２の鉛直部６５Ｄおよび第２の水平部６５Ｅ（図６（Ｂ）参照）と当接される（図３と図８（Ａ）参照）。
【００４１】
さらに、図２に示されるように、ケース体１５における主収容部１９と連通収容部２１との境界部付近、詳しくは主収容部１９を区画する内部側面１９Ａと第１の段差部２５の短手方向側面２５Ｂとの境界部には、その全長にわたって第２の係合部としての凸部２３が設けられている。この凸部２３は、ケース体１５の短手方向内側すなわち対向する側面に向かって隆起する部分として構成されており、平面形状が略半円状とされている。この凸部２３は、主収容部側部２３Ａと連通収容部側部２３Ｂとがそれぞれ略円弧面として出会うことにより半円状の膨らみ部として構成されている。また、主収容部側部２３Ａは、主収容部１９を区画する内部側面１９Ａの一部とされている。
【００４２】
サポート部材１７は、図３に示されるように、平面視で４辺が内側に略円弧状に湾曲されるとともに４辺の角が外側にアールを有する頂部４１と、頂部４１を構成する４辺から車両下方へ向かって頂部４１の内部方向に傾斜して平面視で略円弧状をなす側部４３とを含んで構成されている。平面視では、頂部４１の各４辺のうち対向する２辺を形成する円弧の半径は等しく設定されている。また、サポート部材１７の頂部４１の長手方向両側の２辺４５を形成する円弧の半径は、短手方向両側となる２辺４７を形成する円弧の半径より小さく設定されている。
【００４３】
ここで、図６（Ａ）に示されるように、サポート部材１７の頂部４１の短手方向両側となる２辺４７は、主収容部１９を区画する内部側面１９Ａの上端に形成された稜線１９Ｂと同様の略円弧形状とされている。そして、後述する、第１の状態からサポート部材１７をケース体１５に嵌合させた場合において、サポート部材１７の頂部４１の短手方向両側となる２辺４７と、ケース体１５の内部に設けられた主収容部１９を区画する内部側面１９Ａ（図２参照）の上端に形成された稜線１９Ｂの延長線とが平面視で連続する構成とされる。
【００４４】
さらに、図８（Ａ）に示されるように、サポート部材１７の頂部４１の長手方向両側となる２辺４５は、第２の径φ２を有する飲料容器Ｖ２の外周面に沿う形状とされている。そして、後述する、第２の状態からサポート部材１７をケース体１５に嵌合させた場合において、サポート部材１７の頂部４１の長手方向両側となる２辺４５と、サポート部材１７の両側に形成される空間を区画する内部側面１９Ａ（図２参照）の上端に形成された稜線１９Ｂの延長線とが平面視で不連続とされる。また、後述する、第２の状態からサポート部材１７をケース体１５に嵌合させた場合において、サポート部材１７の頂部４１の長手方向両側となる２辺４５は、内部側面１９Ａの上端に形成された稜線１９Ｂの延長線と干渉する方向へ突出される構成とされる。すなわち、サポート部材１７の頂部４１の長手方向両側となる２辺４５は、稜線１９Ｂの延長線よりケース体１５の長手方向外側に突出される。そして、サポート部材１７の長手方向長さは第２の段差部２６の長手方向長さより長く、第２の段差部２６はサポート部材１７によって挟持される。
【００４５】
図３に示されるように、サポート部材１７の長手方向両側の側部４３Ａを正面から見ると、その形状は、頂部４１を構成する１辺となる上底４５と、上底４５に対向して側部４３Ａの車両上下方向下部となり、後述するように一部が切り欠かれている下底５１とを含んで形成される略台形形状とされている。ここで、下底５１の長さは上底４５の長さより短く設定されている。また、サポート部材１７の長手方向両側の側部４３Ａは、上底４５から下底５１に向かってサポート部材１７の中央を内側として内側に傾斜されている（図８（Ａ）参照）。さらに、下底５１の中央部には上底４５側に向かって略長方形状の切り欠き５３が形成されている。この切り欠き５３の幅は、支持部２９の幅（ケース体１５の長手方向と同じ方向の長さ、図２参照）より長く設定されている。なお、サポート部材１７の長手方向両側の側部４３Ａは、下底５１の中央部と上底４５の中央部とを結ぶ線を中心に線対称形状とされている。
【００４６】
図３に示されるように、サポート部材１７の短手方向両側の側部４３Ｂを正面から見ると、その形状は、頂部４１を構成する１辺となる上底４７と、上底４７に対向して側部４３Ｂの車両上下方向下部となる下底６１とから形成される略台形形状とされている。ここで、下底６１の長さは上底４７の長さより短く設定されている。また、上底４７の両端から下底６１の両端にかけては、下底６１の中央部を内側として内側に向かう傾斜状態とされている（図８（Ａ）参照）。また、側部４３Ｂには、下底６１の中央部を残して、その左右に所定形状の切り欠き６３が形成されている。この切り欠き６３は、詳しくは図６（Ｂ）に示されるように、その外周６５が、下底６１の中央部から上底４７側へ延在する第１の鉛直部６５Ａと、第１の鉛直部６５Ａ上端からサポート部材１７の長手方向外側に延在する第１の水平部６５Ｂと、第１の水平部６５Ｂの長手方向外側端部から上底４７かつサポート部材１７の長手方向外側へ傾斜する傾斜部６５Ｃと、傾斜部６５Ｃ上端から上底４７側へ延在する第２の鉛直部６５Ｄと、第２の鉛直部６５Ｄの上端からサポート部材１７の長手方向外側に延在する第２の水平部６５Ｅと、第２の水平部６５Ｅの長手方向外側端部から下底６１側へ延在する第３の鉛直部６５Ｆとで構成されている。なお、サポート部材１７の短手方向両側の側部４３Ｂは、下底６１の中央部と上底４７の中央部とを結ぶ線を中心に線対称形状とされている。
【００４７】
次に、ケース体１５にサポート部材１７を嵌入させる方法について説明する。
【００４８】
図４に示されるように、平面視でサポート部材１７の嵌入方向の中心（以降、嵌入中心）Ｇを通る短手方向とケース体１５の長手方向とが一致するように、サポート部材１７をケース体１５の上方に配置する。ここで、サポート部材１７の頂部４１の中心（詳しくは、頂部４１の対角線の交点）がケース体１５の中心の上方にくるように配置する。以下、この状態を「第１の状態」と称する。そして、この第１の状態からサポート部材１７を下方に下ろして、サポート部材１７とケース体１５とを嵌合させる。
【００４９】
一方で、平面視でサポート部材１７の嵌入中心Ｇを通る長手方向とケース体１５の長手方向とが一致するように、サポート部材１７をケース体１５の上方に配置する。ここで、サポート部材１７の頂部４１の中心（詳しくは、頂部４１の対角線の交点）がケース体１５の中心の上方にくるように配置する。以下、この状態を「第２の状態」と称する。そして、この第２の状態からサポート部材１７を下方に下ろして、サポート部材１７とケース体１５とを嵌合させる。
【００５０】
よって第１の状態からサポート部材１７を下方に下ろして、サポート部材１７とケース体１５とを嵌合させた状態から、サポート部材１７を上方に持ち上げてケース体１５から取り外し、サポート部材１７の頂部４１の中心を回転中心として、その中心を通る鉛直軸を回転軸として水平方向に９０度サポート部材１７を回転させて嵌入可能とされている状態が、第２の状態となっている。
【００５１】
次に、サポート部材１７をケース体１５に嵌入させた場合の作用について説明する。
【００５２】
（第１の状態からサポート部材１７をケース体１５に嵌合させた場合）
まず、第１の状態からケース体１５にサポート部材１７を嵌合させて第１の径φ１を有する飲料容器Ｖ１を収容させた場合の作用について説明する。
【００５３】
図５に示されるのは、第１の状態からケース体１５にサポート部材１７を嵌合させた状態におけるカップホルダの斜視図である。また、図５の平面図が図６（Ａ）であり、図５の正面図が図６（Ｂ）である。なお、図５および図６においては、ケース体１５の長手方向両端がカットされている。
【００５４】
図５または図６に示されるように、ケース体１５とサポート部材１７とは、ケース体１５の長手方向とサポート部材１７の短手方向とが一致するように嵌合されている。詳しくは、サポート部材１７は、ケース体１５の上方から支持部２９に向けて嵌入され、ケース体１５の段差部２４に設けられた支持部２９と、サポート部材１７の長手方向両側の側部４３Ａに設けられた切り欠き５３（図３参照）とが嵌合されている。したがって、ケース体１５の連通収容部２１がサポート部材１７によって区切られ、ケース体１５とサポート部材１７との間に容器収容空間（主収容部１９）が形成される。そのため、その容器収容空間に飲料容器を収容することができる。また、ケース体１５の内部に設けられた主収容部１９の底面の内径は第１の径φ１と略同一とされている。したがって、第１の径φ１を有する飲料容器Ｖ１を収容することができる。また、主収容部１９の底面の内径は、主収容部１９の上端側開口部の内径より小さく設定され、主収容部１９の垂直断面形状は、略台形形状とされている。したがって、内部側面１９Ａは傾斜しているので、飲料容器収容時に飲料容器が内部側面１９Ａの途中にあたっても、飲料容器を円滑に収容することができるとともに、第１の径φ１を有する飲料容器Ｖ１を安定して収容することができる。さらに、ケース体１５の内部に設けられた主収容部１９を区画する内部側面１９Ａの上端に形成された稜線１９Ｂが略円弧をなし、サポート部材１７の頂部４１の短手方向両側となる２辺４７は、内部側面１９Ａの上端に形成された稜線１９Ｂの延長線と同様の略円弧形状とされている。したがって、ケース体１５にサポート部材１７が嵌合された状態で、ケース体１５の内部側面１９Ａの車両上方側の稜線１９Ｂの延長線と、サポート部材１７の頂部４１の短手方向両側となる２辺４７とが連続する。その結果、主収容部１９の開口側の稜線の延長線が連続する。よって、外観品質を良好に保つことができる。
【００５５】
なお、ここで使用している連続とは、ケース体１５にサポート部材１７が嵌合された状態で、ケース体１５の内部側面１９Ａの車両上方側の稜線１９Ｂの延長線と、例えばサポート部材１７の頂部４１の短手方向両側となる２辺４７とが一致せず、例えば１ミリメートルずれている場合も含まれる。すなわち、本発明の効果が得られる範囲であればずれていてもよい。
【００５６】
また、ケース体１５とサポート部材１７とが嵌合された状態では、サポート部材１７に第１の径φ１を有する飲料容器Ｖ１が当接してサポート部材１７が移動しても、凸部２３がサポート部材１７の移動を防ぐストッパーの役割を果たす。そのため、サポート部材１７のガタツキを抑制することができる。
【００５７】
なお、切り欠き５３（図３参照）の短辺の長さは、支持部２９（図２参照）の幅より長いので、嵌入しやすくされている。しかし、サポート部材１７のガタツキを抑えるには、切り欠き５３の幅と、支持部２９の幅との差を小さくすればよい。あるいは、切り欠き５３と支持部２９との接触面積を増やせばよい。また、凸部２３は全長にわたって設けられていなくてもよい。
【００５８】
（第２の状態からサポート部材１７をケース体１５に嵌合させた場合）
次に、第２の状態からケース体１５にサポート部材１７を嵌合させて第２の径φ２を有する飲料容器Ｖ２を収容させた場合の作用について説明する。
【００５９】
図７に示されるのは、第２の状態におけるカップホルダの斜視図である。また、図７の平面図が図８（Ａ）であり、図８（Ａ）においてＸ１、Ｘ２方向の断面図が図８（Ｂ）である。なお、図７および図８においては、ケース体１５の長手方向両端がカットされている。
【００６０】
図７または図８に示されるように、ケース体１５とサポート部材１７とは、ケース体１５の長手方向とサポート部材１７の長手方向とが一致するように嵌合されている。詳しくは、ケース体１５の第２の段差部２６間に形成されている溝部２７（図２参照）に、サポート部材１７の短手方向両側の側部４３Ｂが嵌合されている。したがって、ケース体１５の連通収容部２１（図２参照）がサポート部材１７によって区切られ、ケース体１５とサポート部材１７との間に容器収容空間（主収容部１９）が形成される。そのため、その空間に飲料容器を収容することができる。また、第２の段差部２６は、サポート部材１７の長手方向両側の側部４３Ａの一部によって挟まれている。そして、サポート部材１７の頂部４１の長手方向両側となる２辺４５と、ケース体１５の主収容部１９を区画する内部側面１９Ａの上端に形成された稜線１９Ｂの延長線とが平面視で不連続とされ、サポート部材１７の頂部４１の長手方向両側となる２辺４５は、内部側面１９Ａの上端に形成された稜線１９Ｂの延長線と干渉する方向へ突出されている。したがって、ケース体１５とサポート部材１７との間には、上記第１の状態からサポート部材１７をケース体１５に嵌合させた場合に形成される容器収容空間よりも小さい容器収容空間が形成される。よって、第１の径φ１より小さな径を有する飲料容器を収容することができる。さらに、サポート部材１７の頂部４１の長手方向両側となる２辺４５は、第２の径φ２を有する飲料容器Ｖ２の外周面に沿う形状とされているので、第２の径φ２を有する飲料容器Ｖ２を安定して収容することができる。
【００６１】
ここで、図７または図８（Ａ）に示されるように、第２の段差部２６の角２６Ｄすなわち短手方向側面２６Ｂと長手方向側面２６Ｃとの境界部近傍は、平面視で、サポート部材１７の頂部４１の短手方向両側面４３Ｂにより覆われている。すなわち、図８（Ａ）において、第２の段差部２６の角２６Ｄは、サポート部材１７の短手方向両側の下底６１よりもケース体１５の内側に位置している。そして、サポート部材１７の短手方向両側側部４３Ｂに設けられた切り欠き６３（図３参照）の第２の水平部６５Ｅ（図６（Ｂ）参照）と、第２の段差部２６の角２６Ｄとが、詳しくは、第２の水平部６５Ｅと、第２の段差部２６の角２６Ｄの上面とが当接されている。また、第２の段差部２６の短手方向側面２６Ｂと、サポート部材１７の短手方向側部４３Ｂとの間には、第２の段差部２６の角２６Ｄを除いて隙間Ｓが形成されている。また、主収容部１９に対向して配置されているリブ３１の内側側面部３１Ａとサポート部材１７の切り欠き６３の第２の鉛直部６５Ｄ（図６（Ｂ）参照）とが当接し、リブ３１の上面部３１Ｂと切り欠き６３の第２の水平部６５Ｅとが当接されている。すなわち、サポート部材１７の短手方向両側に設けられた切り欠き６３の第２の水平部６５Ｅ間の距離は、第２の段差部２６の側面２６Ｂに設けられた２つのリブ３１の間の距離と略均等とされている。したがって、サポート部材１７の支持点が増えて、サポート部材のガタツキを抑制し、安定させることができる。
【００６２】
さらに、サポート部材１７の短手方向側部４３Ｂに設けられた切り欠き６３（図３参照）の外周には傾斜部６５Ｃ（図６（Ｂ）参照）が設けられている。したがって、ケース体１５にサポート部材１７を嵌入させるときには、その傾斜部６５Ｃがリブ３１の上面３１Ｂに当接してから、リブ３１間にサポート部材１７が嵌入されやすい。
【００６３】
なお、サポート部材１７のガタツキをより抑えたい場合は、サポート部材１７とケース体１５との接触面積を増やせばよい。
【００６４】
（マグカップを収容させる場合）
次に、マグカップを収容させる場合の作用について説明する。
【００６５】
マグカップを収容させる場合、図５または図７においてサポート部材１７はケース体１５から取り外される（図２参照）。その結果、ケース体１５の短手方向中央部を通って長手方向に溝部２７を含む空間が形成される。したがって、ケース体１５の内部に設けられた主収容部１９にマグカップを収容すると、マグカップの取手は、溝部２７および溝部２７より車両上方側の空間を含む連通収容部２１に収容される。よって、マグカップの配置によっては、マグカップの取手が第２の段差部２６の短手方向側面２６Ｂまたはリブ３１に当接可能とされる。そのため、車両の旋回時にマグカップが移動した時でも、取手が第２の段差部２６の短手方向側面２６Ｂまたはリブ３１に当接して、マグカップの移動（回転）が抑制される。したがって、マグカップが安定して配置される。
【００６６】
以上上記第１の実施形態によれば、サポート部材１７を９０度水平面内で回転させることで異なる径の飲料容器が収容可能となる。よって、従来のようにサポート部材に付勢手段を設ける構成に比べて、簡素な構成とすることができる。また、サポート部材１７をケース体１５の支持部２９あるいは溝部２７に嵌合させる構成とされている。よって、ケース体１５は従来のままでサポート部材１７のみを替えればよく、製造コストを抑えることができる。さらに、溝部２７を有するので、マグカップのような取手を有する飲料容器を収容できる。
【００６７】
なお、凸部２３は、ケース体の短手方向両側面のうち一方側にのみ設けられていてもよい。
【００６８】
＜第１の実施形態の変形例＞
例えば図９に示されるように、ケース体３５には第２の係合部としての凸部は設けられず、サポート部材３７は頂部３９の４角にアールを有さない形状でもよい。
【００６９】
なお、上記第１の実施形態およびその変形例において、ケース体１５内部の短手方向両側面に設けられた段差部２４間に溝部２７は形成されず、段差部２４間をつなぐ壁部が設けられていてもよい。また、ケース体１５に第１の係合部としてのリブ３１はなくてもよいし、リブ３１は２箇所に限る必要はない。
【００７０】
＜第２の実施形態＞
次に、図１０乃至図１３を用いて本発明の第２の実施形態およびその変形例について説明する。なお、上記第１の実施形態と同様の構成については同じ符号を付し、ここではその説明を省略する。
【００７１】
図１０乃至図１３に示されるように、第２の実施形態におけるカップホルダは、ケース体８５の短手方向両側面に一つずつ突出部９１が設けられるとともに、ケース体８５を平面視で見た場合に、突出部９１は、後述するサポート部材９３の嵌入方向の中心（以降、嵌入中心）Ｇ４（図１３参照）に対して点対称の位置に配置されている点に特徴がある。ここで、突出部９１は第１の実施形態における支持部２９の幅とほぼ同様の板厚を有する。なお、突出部９１の突出長さ（ここでは平面視における、ケース体８５の短手方向と同じ方向の長さ）については後述する。
【００７２】
図１０に示されるように、ケース体８５は、上面側が開放された略箱状をなしており、その内部の長手方向両側の内部側面が平面視で略半円をなして形成されている。この略半円の形状は、第１の径φ１を有する飲料容器Ｖ１（図１２（Ａ）参照）の外周に沿う形状とされている。ケース体８５は、長手方向両側に形成された前後一対の主収容部８７と、一対の主収容部８７を連通する連通収容部８９とで構成されている。ケース体８５の短手方向両側面には、対向する側面に向かって突出する矩形平板状の突出部９１が一体形成されている。ケース体８５の短手方向両側面のいずれか一方の側面に設けられた突出部９１と、他方の側面に設けられた突出部９１とは、平面視で、後述するサポート部材９３の嵌入中心Ｇ４に対して点対称に配置されている。なお、ケース体８５は、突出部９１を除けば、平面視で、サポート部材９３の嵌入中心Ｇ４（図１３参照）を通る短手方向の軸Ｘ３（図１３参照）に対して対称とされている。また、ケース体８５は、突出部９１を除けば、平面視で、サポート部材９３の嵌入中心をＧ４通る長手方向の軸Ｙ３（図１３参照）に対して対称とされている。
【００７３】
図１１に示されるように、サポート部材９３は、平面視で４辺それぞれの一部が内側に略円弧状に湾曲されている頂部９５と、頂部９５を構成する４辺から車両下方へ向かって頂部９５の各辺と略垂直な面を形成して平面視で辺の一部が略円弧状をなす側部９７とを含んで構成されている。ここで、頂部９５は平面視で、正方形の対向する２組の２辺を異なる半径の円で切り欠いた形状とされている。また、平面視では、頂部９５の各４辺のうち対向する２辺を形成する円弧の半径は等しく設定されている。以降では、サポート部材９３の頂部９５が大きな半径の円で切り欠かれた２辺９９を両側とする方向を短手方向、小さな半径の円で切り欠かれた２辺１０１を両側とする方向を長手方向と称する。
【００７４】
サポート部材９３の頂部９５の短手方向両側となる２辺９９の一部を形成する円弧の形状は、主収容部８７を区画する内部側面８７Ａ（図１０参照）の外周面に沿う形状とされるとともに、第１の径φ１を有する飲料容器Ｖ１（図１２（Ａ）参照）の外周面に沿う形状とされている。また、サポート部材９３の頂部９５の長手方向両側となる２辺１０１の一部を形成する円弧の形状は、第２の径φ２を有する飲料容器Ｖ２（図１２（Ｂ）参照）の外周面に沿う形状とされている。なお、サポート部材９３の短手方向両側の側部９７Ａは、下底１０３の中央部と上底９９の中央部とを結ぶ線を中心に線対称とされている。また、サポート部材９３の長手方向両側の側部９７Ｂは、下底１０５の中央部と上底１０１の中央部とを結ぶ線を中心に線対称とされている。
【００７５】
サポート部材９３の短手方向両側部９７Ａおよび長手方向両側部９７Ｂには、突出部９１と嵌合させるための切り欠き１０７が設けられている。この切り欠き１０７は、サポート部材９３の各側部９７を正面から見た場合に略長方形状とされている。また、サポート部材９３の側部９７を正面から見た場合において、切り欠き１０７は１つであるとともに、この切り欠き１０７はサポート部材９３の４隅９３Ａ、９３Ｂ、９３Ｃ、９３Ｄに１つずつ設けられている。切り欠き１０７の高さは、突出部９１の高さに等しく、切り欠き１０７の幅は、突出部９１の板厚よりも少し幅広に設定されている。
【００７６】
次に、サポート部材９３をケース体８５に嵌入させた場合の作用について図１２を参照して説明する。なお、サポート部材９３を９０度水平面内で回転させて嵌入させる点については第１の実施形態と同様であるので説明を省略する。
【００７７】
図１２（Ａ）に示されるように、第１の状態からサポート部材９３をケース体８５の突出部９１に嵌入させて第１の径φ１を有する飲料容器Ｖ１を収容させる場合は、ケース体８５とサポート部材９３とは、ケース体８５の長手方向とサポート部材９３の短手方向とが一致するように嵌合されている。詳しくは、ケース体８５の突出部９１に、ケース体８５の上方からサポート部材９３の長手方向両側の側部９７Ｂに設けられた切り欠き１０７Ａ、１０７Ｃが嵌合されている。なお、サポート部材９３の頂部９５と対向する底面部と、ケース体８５の底面とが当接されている。また、サポート部材９３の長手方向両側の側部９７Ｂの一部と、ケース体８５の短手方向側面とが当接されている。
【００７８】
一方図１２（Ｂ）に示されるように、第２の状態からサポート部材９３をケース体８５の突出部９１に嵌入させて第２の径φ２を有する飲料容器Ｖ２を収容させる場合は、ケース体８５とサポート部材９３とは、ケース体８５の短手方向とサポート部材９３の短手方向とが一致するように嵌合されている。詳しくは、ケース体８５の突出部９１に、ケース体８５の上方からサポート部材９３の短手方向両側の側部９７Ａに設けられた切り欠き１０７Ｂ、１０７Ｄが嵌合されている。なお、サポート部材９３の頂部９５と対向する底面部と、ケース体８５の底面とが当接されている。また、サポート部材９３の短手方向両側の側部９７Ａの一部と、ケース体８５の短手方向側面とが当接されている。
【００７９】
上記構成によれば、サポート部材９３を９０度水平面内で回転させてケース体８５に嵌入させることで、異なる径の飲料容器を収容することができる。よって、従来のようにサポート部材に付勢手段を設ける構成に比べて、簡素な構成とすることができる。また、サポート部材９３の頂部９５の短手方向両側となる２辺９９の一部を形成する円弧の形状は、主収容部８７を区画する内部側面８７Ａ（図１０参照）の外周面に沿う形状とされるとともに、第１の径φ１を有する飲料容器Ｖ１（図１２（Ａ）参照）の外周面に沿う形状とされている。よって、飲料容器を安定させて収容することができる。また、第１の状態からサポート部材９３をケース体８５に設けられた矩形平板状の突出部９１に嵌入させた場合に、サポート部材９３の両側に形成される飲料容器収容空間の開口部の稜線の延長線が連続して、外観品質を良好に保つことができる。
【００８０】
さらに、上記構成によれば、矩形平板状の突出部９１が設けられているので、第１の実施形態と比較して、容器収容空間（主収容部８７と連通収容部８９とで構成される空間）が広くなる。したがって、サポート部材９３を取り外した場合、例えば飲料容器に加えて小物など、より多く物を収容することができる。また、第１の状態および第２の状態からサポート部材９３をケース体８５に嵌入させた場合、突出部９１がサポート部材９３に覆い隠されるので、外観がよくなるとともに、サポート部材９３とケース体８５の長手方向中央部両側面との間の空間Ａ１、Ａ２に、小物などを収容することができる。
【００８１】
ここで、突出部９１の長さ（ケース体８５の対向する短手方向側面に向かう突出部９１の長さ）Ｌ（図１０参照）は、以下のように設定されている。すなわち、突出部９１の先端が、図１２（Ａ）（Ｂ）に示される斜線部内に位置する長さに設定されている。この斜線部は、第１の状態からサポート部材９３をケース体８５に嵌合させた場合の頂部９５と、第２の状態からサポート部材９３をケース体８５に嵌合させた場合の頂部９５との重複部に相当する。
【００８２】
＜第２の実施形態の変形例１＞
第２の実施形態におけるケース体８５において、図１３に示される位置に、第２の係合部としての凸部１０９が設けられていてもよい。この凸部１０９は以下の位置に設定されている。すなわち、第１の状態からサポート部材９３をケース体８５に嵌合させた場合において、サポート部材９３の短手方向両側部９７Ａの一部に当接する位置でかつ、第２の状態からサポート部材９３をケース体８５に嵌合させた場合において、サポート部材９３の長手方向両側部９７Ｂの一部に当接する位置に、ケース体８５の内部側面から突出して一体形成されている。
【００８３】
上記構成によれば、サポート部材９３の支持点が更に増えるので、サポート部材９３のガタツキを抑制することができる。また、突出部９１をケース体８５の内部側面の車両上下方向下方側に、第２の係合部としての凸部１０９をケース体８５の内部側面の車両上下方向上方側に設ければ、よりガタツキを抑制することができる。なお、この凸部１０９は図１３では２箇所に設けられているが、いずれか一方の１箇所にのみ設けられていてもよい。ただし、この場合はサポート部材９３が長手方向両側のいずれかの方向にガタつく可能性があるが、問題ない。
【００８４】
なお、上記第２の実施形態およびその変形例１ではケース体８５に突出部９１が２箇所に設けられ、サポート部材９３が嵌合されているが、平面視で、嵌入中心Ｇ４に対して点対称かつ線対称の４箇所に設けて嵌合させる構成としてもよい。この場合では、サポート部材９３の各側部９７を正面から見た場合において、切り欠きは２つであるとともに、この切り欠きはサポート部材の４隅に２つずつ設けられる。上記構成によれば、サポート部材の支持点が更に増え、サポート部材のガタツキを抑制することができる。また、上記第２の実施形態の変形例１では、ケース体８５に凸部１０９が２箇所に設けられているが、平面視で嵌入中心Ｇ４に対して点対称かつ線対称の４箇所に設けられていてもよい。上記構成によれば、サポート部材の支持点が更に増え、サポート部材のガタツキを抑制することができる。
【００８５】
＜第２の実施形態の変形例２＞
上記第２の実施形態の変形例１では、ケース体８５に突出部９１と第２の係合部としての凸部１０９が設けられていたが、上記構成において突出部９１が設けられず、第２の係合部としての凸部１０９のみが設けられていてもよい。この場合、サポート部材９３に切り欠き１０７を設ける必要ない。上記構成によれば、サポート部材９３に切り欠き１０７を設ける必要がないので、サポート部材９３に切り欠きを設ける工程を省くことができ、コスト削減を図ることができる。なお、凸部１０９は、平面視で嵌入中心Ｇ４に対して点対称かつ線対称の４箇所に設けられていてもよい。
【００８６】
以上第１および第２の実施形態、それらの変形例について説明したが、本発明の実施形態はこれらの実施形態に限ることなく本発明の要旨を逸脱しない範囲で他の実施形態を各種採用することができる。すなわち、上記実施形態ではカップホルダは、ケース体が一部材から構成されているが、コンソールボックス内に設けられた略箱状の凹空間に収容されるカップホルダであって、ケース体が凹空間から脱着可能に構成されていてもよい。また、カップホルダは、後席シート中央のシートバックを車両前方側へ倒して形成されるアームレストに配置される構成であってもよい。さらに、上記実施形態では、車両前後方向前後に並んで飲料容器が配置される構成とされているが、車幅方向左右に並んで飲料容器が配置される構成とされていてもよい。また、サポート部材の両側のうち片側のみに容器収容空間が形成され、もう片側には容器を収容可能な空間が形成されていなくてもよい。また、上記実施形態では、第１の径φ１を有する飲料容器Ｖ１および第２の径φ２を有する飲料容器Ｖ２について、直径および容量について具体的数値を示したが、第１の径φ１が第２の径φより大きければ、任意である。適宜その径の大きさおよび容量に応じてケース体およびサポート部材の形状を変更すればよい。また、飲料容器は円筒飲料容器に限らず、紙パック等角型の飲料容器に対しても適用可能である。すなわち、サポート部材およびケース体の側面に凹みが設けられて、紙パックを収容できる形状であってもよい。さらに、サポート部材の頂部の４辺の少なくとも一部は略円弧状とされているが、飲料容器の外周に接する直線部を有する形状とされていてもよい。飲料容器の外周形状に沿う形状ではなくて、飲料容器をカップホルダに収容した場合に、飲料容器とサポート部材との間に隙間が形成されていてもよい。なお、サポート部材の水平面内での回転角度は９０度から多少ずれていてもよい。
【符号の説明】
【００８７】
１１      カップホルダ
１５      ケース体
１９Ｂ      稜線
２３        凸部（第２の係合部）
２４        段差部（突出部）
２５          第１の段差部
２６          第２の段差部（棚部）
２９          支持部
２７        溝部
３１        リブ（第１の係合部）
１７      サポート部材
４５        長手方向両側の２辺の上底（稜線）
４７        短手方向両側の２辺の上底（稜線）
５３        切り欠き
６３        切り欠き
Ｇ        嵌入方向の中心
３５      ケース体
３７      サポート部材
８５      ケース体
９１        突出部
９３      サポート部材
９９        短手方向外側の両辺の上底（稜線）
１０１      長手方向外側の両辺の上底（稜線）
１０７      切り欠き
１０９      凸部（第２の係合部）
Ｇ４      嵌入方向の中心
φ１      第１の径
φ２      第２の径（第１の径より小さい）
Ｖ１      第１の径を有する飲料容器
Ｖ２      第２の径を有する飲料容器
【図１】
2011020632.tif 000003
【図２】
2011020632.tif 000004
【図３】
2011020632.tif 000005
【図４】
2011020632.tif 000006
【図５】
2011020632.tif 000007
【図６】
2011020632.tif 000008
【図７】
2011020632.tif 000009
【図８】
2011020632.tif 000010
【図９】
2011020632.tif 000011
【図１０】
2011020632.tif 000012
【図１１】
2011020632.tif 000013
【図１２】
2011020632.tif 000014
【図１３】
2011020632.tif 000015
【図１４】
2011020632.tif 000016